(57)【要約】【課題】既存の製蓋設備で製造でき、また、従来と同様な素材を適用でき、さらにスコア破断端面を確実に保護できるダブルセーフティー型のイージーオープン缶蓋を提供する。【解決手段】缶蓋本体を構成するパネル部と、該パネル部の外周に連成され、缶胴上端に巻締されるフランジ部と、前記パネル部に取付けられた開缶用タブとを備え、前記フランジ部の基端部近傍の前記パネル部周方向に開缶用スコアが形成されたダブルセーフティー型イージーオープン缶蓋であって、前記パネル部の上面又は／及び下面において、前記開缶用スコアを跨ぐようにして可撓性の保護体を複数配し、該保護体を、開缶用スコアの外側又は内側のパネル部面にそれぞれ固着したダブルセーフティー型イージーオープン缶蓋。さらに、缶蓋が有機樹脂で被覆された金属板からなる、および／または開缶用スコアの内側が有機樹脂で被覆されるダブルセーフティー型イージーオープン缶蓋。【選択図】            図１
2004359298.tif 000002
【特許請求の範囲】
【請求項１】
缶蓋本体を構成するパネル部と、該パネル部の外周に連成され、缶胴上端に巻締されるフランジ部と、前記パネル部に取付けられた開缶用タブとを備え、前記フランジ部の基端部近傍の前記パネル部周方向に開缶用スコアが形成されたダブルセーフティー型イージーオープン缶蓋であって、
前記パネル部の上面又は／及び下面において、前記開缶用スコアを跨ぐようにして可撓性の保護体を複数配し、該保護体を、開缶用スコアの外側又は内側のパネル部面にそれぞれ固着したことを特徴とするダブルセーフティー型イージーオープン缶蓋。
【請求項２】
缶蓋が有機樹脂で被覆された金属板からなることを特徴とする請求項１に記載のダブルセーフティー型イージーオープン缶蓋。
【請求項３】
前記開缶用スコアの内側が有機樹脂で被覆されることを特徴とする請求項１または２に記載のダブルセーフティー型イージーオープン缶蓋。
【発明の詳細な説明】
【０００１】
【発明の属する技術分野】
本発明は、開缶後のスコア破断端面で手指などを傷つけにくいダブルセーフティー型のイージーオープン缶蓋に関するものである。
【０００２】
【従来の技術】
食品缶詰の缶蓋には、缶切りを用いなくとも容易に開缶ができるイージーオープン缶蓋が広く用いられている。イージーオープン缶蓋にはスチールまたはアルミなどの金属板が素材として用いられており、金属板には必要に応じて各種表面処理、塗装やフィルムラミネートなどの有機樹脂の被覆などが施されている。
【０００３】
イージーオープン缶蓋は、蓋が缶胴に巻き締められる立ち上がりフランジ部（以下、フランジ部と称す）とパネル部とで構成され、前記パネル部には、フランジ部近傍に開缶用スコア（以下、スコアと称す）と、開缶時に開缶力をスコアに伝達する開缶用タブ（以下、タブと称す）が備えられている。
【０００４】
このような缶蓋によれば、タブを引き起こすことでタブの先端でスコアを切り裂き、次いでタブを蓋本体から引き離すことでスコアが随時破断していき開缶する。開缶後はフランジ部は缶体に留まり、パネル部が缶体から除去される。
【０００５】
この際、スコアの破断端面は、金属の破断面であり、また蓋素材の板厚も薄いため鋭利な状態となっており、スコアの破断端面に手指などが接触した際に、切り傷を負う事故となる場合がある。そのため、手指の傷付きを防ぐ機能を備えた、いわゆるセーフティー型のイージーオープン缶蓋がいくつか提案されている。
【０００６】
セイフティー型のイージーオープン缶蓋を得るためには、スコア破断端面に手指が直接接触しないよう、蓋に保護構造を設ける必要がある。こうした保護構造を設けるために、従来では、パネル自体を加工して形状を工夫する方法と、付加的な保護体を蓋に設置する方法とが提案されている。
【０００７】
パネル自体を加工して形状を工夫する方法として、特許文献１には、蓋のフランジ側をループ構造に加工し、フランジ側のスコア破断端面がこのループ構造により保護されることによって、手指等がスコア破断端面に接触しないようにした技術が開示されている。
【０００８】
また、特許文献２には、蓋のパネル側を隆起壁構造に加工し、パネル側のスコア破断端面がこの隆起壁構造によって保護されることによって、手指等がスコア破断端面に接触しないようにした技術が開示されている。
【０００９】
一方、付加的な保護体を蓋に設置する方法として、特許文献３には、スコアを跨いでエラストマー樹脂の被覆を帯状に施すことによって、開缶後に樹脂によってスコア破断端面を保護する技術が開示されている。
【００１０】
しかしながら、特許文献１及び特許文献２の技術では、複雑な加工を行う必要があり、既存の製蓋設備では対応できずに新規設備の導入が必要になる。また、形状が複雑で金属部材を多く必要とする構造であるため、素材コストが高くなるばかりではなく、缶体の重量も重くなる。さらに、加工が複雑であるために、従来よりも優れた加工性を備えた素材を使用する必要が生じる。
【００１１】
特許文献３の技術は、蓋の成形自体は従来の工程を利用できるが、エラストマー樹脂がスコアを跨ぐ状態で塗布されているため、スコア破断にともなってエラストマー樹脂自体も破断し、スコア破断端面を保護できない場合がある。
【００１２】
さらに、特許文献１、特許文献２及び特許文献３の技術は、保護できるのはパネル側のスコア破断面のみである。
【００１３】
これに対し、フランジ側およびパネル側の両方のスコア破断面を保護することのできる、ダブルセーフティー型のイージーオープンエンド型として、特許文献４には、蓋のフランジ側およびパネル側の両方をループ構造に加工し、スコア破断端面がこれらのループ構造によって保護されるダブルセーフティー型のイージーオープンエンドの技術が開示されている。
【００１４】
【特許文献１】
特開昭６０−２０４４５２号公報
【００１５】
【特許文献２】
特開昭６２−６４７２９号公報
【００１６】
【特許文献３】
特許第１６６７１２６号
【００１７】
【特許文献４】
特許第１７６２９４５号
【００１８】
【発明が解決しようとする課題】
しかしながら、特許文献４の技術は、複雑な加工を行う必要があり、既存の製蓋設備では対応できずに新規設備の導入が必要になる。また、形状が複雑で金属部材を多く必要とする構造であるため、素材コストが高くなるばかりではなく、缶体の重量も重くなる。また、加工が複雑であるために、従来よりも優れた加工性を備えた素材を使用する必要が生じる。
【００１９】
本発明は上記の課題を解決するためになされたもので、既存の製蓋設備で製造でき、また、従来と同様な素材を適用でき、さらにスコア破断端面を確実に保護できるダブルセーフティー型のイージーオープン缶蓋を提供することを目的とする。
【００２０】
【課題を解決するための手段】
上記課題を解決するための本発明のセーフティー型イージーオープン缶蓋は、缶蓋本体を構成するパネル部と、該パネル部の外周に連成され、缶胴上端に巻締されるフランジ部と、前記パネル部に取付けられた開缶用タブとを備え、前記フランジ部の基端部近傍の前記パネル部周方向に開缶用スコアが形成されたダブルセーフティー型イージーオープン缶蓋であって、前記パネル部の上面又は／及び下面において、前記開缶用スコアを跨ぐようにして可撓性の保護体を複数配し、該保護体を、開缶用スコアの外側又は内側のパネル部面にそれぞれ固着したことを特徴とするダブルセーフティー型イージーオープン缶蓋である。
【００２１】
さらに、上記において、缶蓋が有機樹脂で被覆された金属板からなることを特徴とするセーフティー型イージーオープン缶蓋である。
【００２２】
さらに、上記において、前記開缶用スコアの内側が有機樹脂で被覆されることを特徴とするセーフティー型イージーオープン缶蓋である。
【００２３】
【発明の実施の形態】
図１〜図４は、本発明のセーフティー型イージーオープン缶蓋の一実施形態を示すもので、図１は本発明の缶蓋の上面図、図２は本発明の缶蓋縦断面図、図３は本発明の缶蓋の要部拡大断面図、図４はスコアの状態を説明する図である。
【００２４】
図１〜図４のイージーオープン缶蓋Ａにおいて、１は缶蓋本体を構成するパネル部、２は前記パネル部１の外周に連成され、缶胴上端に巻締されるフランジ部、３は前記フランジ部２の基端部近傍の前記パネル部１の周方向に形成される開缶用スコア（以下、スコアと称す）、４は前記パネル部１に取付けられた開缶用タブ（以下、タブと称す）、５は前記パネル部１の上面又は／及び下面において、前記スコア３を跨ぐようにして複数配し、スコア３の外側又は内側のパネル部面に固着される可撓性の保護体である。
【００２５】
前記パネル部１には、缶蓋Ａを開口するためのスコア３が刻されており、パネル部１の上面側にはタブ４が固着されている。
【００２６】
前記フランジ部２は、缶蓋Ａの外周縁に沿って設けられており、缶胴に巻締して缶体を形成する。
【００２７】
前記スコア３は、図１に示すように、フランジ部２に沿って円形状に連続的に形成され、パネル部１に破断開口形状に刻設している。スコア３を破断開口形状に刻設するにあたっての加工方法、形状については特に限定せず、如何なるものでも適用できる。例えば、Ｖ型、台形型、Ｕ型等の曲線型、せん断型などである。また、スコアの設置位置は前記フランジ部に沿う近傍に設けられればよく、缶内面側、缶外面側、両面のいずれでも適用できる。
【００２８】
前記タブ４は、スコア３を破断させて缶蓋を開口させるために、その先端部は、スコア３に当接して、スコア３の破断開始位置を的確且つ容易に破断させる所定の位置に臨んで設けられている。
【００２９】
前記保護体５は、前記スコア３がパネル部１のフランジ部２近傍に缶の外形に概ね沿ってリング状に設けられているので、スコア３を跨いで設置される保護体５も、その形状はリング状とするのが好ましい。また、保護体５は、開缶後にスコア破断端面に手指が接触するのを物理的に妨げることを目的として設置するものであるから、図４に示すように、前記パネル部１の上面又は／及び下面において、保護体５はスコア巾を跨いで設置し、開缶後の保護体５の先端は図３に示すようにスコア３の破断端面よりも突き出ている必要がある。さらに保護体５は、開缶時のパネル部の切り裂きや除去を妨げてはならないため、図３のように開缶時のパネル部の動きによって撓むこと、つまり可撓性を備えたものとする。保護体５は、保護体５自体で指等を傷つけないものであれば、その形状、材質は問わない。望ましくは、開缶の支障にならない軟質な素材を用いる方がよく、プラスチック、ゴムなど樹脂系の素材がよい。
【００３０】
前記保護体５は、保護体５がスコア３の破断後にスコア破断端面よりも突き出た状態で、複数配し、例えば保護体が２個の場合、１個目は缶体に留まるフランジ部２側位置で、２個目は除去されるパネル部１側の位置でそれぞれ確実に固着されるものとする。この時、保護体５を固着するにあたり、保護体１個につき、スコア３を跨いでフランジ部２側、パネル部１側の両方で固着すると、スコア３の破段時に保護体５自体が破断してしまい、保護体５をスコア破断端面よりも突き出た状態に保持することができなくなる。また、スコア３を跨いでフランジ部２側、パネル部１側の両方で固着する際、双方の固着力に差をつけることでスコア３の破段時に保護体自体が破断することを避ける手段があるが、固着力の制御は実用上その調整が非常に困難であるため、この方法は現実的ではない。さらに、複数の保護体を固着するにあたっては、各々の固着位置は缶体に留まるフランジ部２側位置と除去されるパネル部１側の位置とに分けられ、同じ側に偏らないようにする。
【００３１】
以上、図１〜図４によれば、タブ４を引き起こすことでタブ４の先端でスコア３を切り裂き、次いでタブ４を蓋本体から引き離すことでスコア３が随時破断していき開缶する。そして、開缶後はフランジ部２は缶体に留まり、パネル部１が缶体から除去される。この時、固着する面をフランジ部２側とした保護体によって、開缶後にはフランジ部２側のスコア破断端面が保護され、フランジ部２側のスコア破断端面は開缶後に缶体に留まるため、開缶後の缶体を取り扱う際の手指の傷付きを防止することができる。一方、固着する面をパネル部１側とした保護体によって、開缶後にはパネル部１側のスコア破断端面が保護され、パネル部１側のスコア破断端面は開缶後に缶体から除去されるため、開缶後に除去したパネル部１を取り扱う際の手指の傷付きを防止することができる。
【００３２】
スコア３が設置された面に保護体５を設置した場合は、保護体５がスコア３を覆って設置されるために、スコア３部に金属露出が存在する場合にはその部分の防錆に効果を発揮する。
【００３３】
スコア３が設置された面と反対面に保護体５を設置した場合は、保護体５はスコア破断端面により近い位置で設置されるため、保護機能が一層高く発揮される。ここで、保護体５によってスコア破断端面を保護する機能は一方の面で果たせるが、両方の面にあればより高い信頼性で保護できる。
【００３４】
保護体５を蓋のフランジ部２またはパネル部１に固着する方法は、特に問わないが、あらかじめ適した形状に成形された固体の保護体５を接着、融着などの方法などで取り付ける方法、あるいは流動性素材を目的の位置、形状に塗布した後に固体化する方法、粉体状の素材を目的の位置、形状に塗布した後に固体化する方法などが採用できる。
【００３５】
保護体５の設置位置は、必要に応じて必ずしもスコア３の全周でなくともよい。また、保護体５はスコア３を跨いでいれば良く、幅は限定されない。
【００３６】
図５は、本発明のセーフティー型イージーオープン缶蓋の他の実施形態を示すもので、本発明の缶蓋の要部拡大断面図である。図５において、６は有機樹脂被覆である。なお、その他の符号は、図１〜４と同一の符号を付し、詳細な説明は省略する。
【００３７】
ａは、一つの保護体５がスコア３のフランジ部２側で、もう一つの保護体５がスコア３のパネル部１側で、それぞれ上面に固着された実施形態の一例である。ｂは、一つの保護体がスコア３のフランジ部２側で、もう一つの保護体がスコア３のパネル部１側で、それぞれ下面に固着された実施形態の一例である。ｃは、上記ａの形態と上記ｂの形態とを組み合わせ、上面、下面にそれぞれ２個ずつ保護体５を固着させた実施形態の一例である。ｄは、上記ｃの形態において、保護体の重なり方を変えた実施形態の一例である。ｅは、缶蓋Ａが有機樹脂で被覆された金属板を素材とする上記ａの形態の一例である。ｆは、スコア巾の内側を有機樹脂で被覆した上記ａの形態の一例である。ｇは、缶蓋Ａが有機樹脂で被覆された金属板を素材とし、スコア巾の内側を有機樹脂で被覆した上記ａの形態の一例である。
【００３８】
なお、ここで、上記は組み合わせの一例を示すものであって、本発明は上記に限定されるものではない。
【００３９】
上記のように組み合わせることで、開缶後にフランジ部側およびパネル部側の両方のスコア破断端面を保護することが可能となる。
【００４０】
また、本発明は、缶蓋が有機樹脂で被覆された金属板を素材とすることで、保護体をパネル部面に固着する際に、その被覆層が、金属板との固着媒介層として、強い固着力を得ることに寄与する。この点から、有機被覆層は保護体を設置する面に施すことが好ましい。有機被覆層は片面のみでも両面でもよい。有機樹脂層は、塗装によるもの、フィルムによるものを問わない。
【００４１】
さらに本発明は、スコア巾の内側が有機樹脂で被覆されたものであれば、スコア巾の内側に金属露出がない状態とすることができるため、防錆の観点からより望ましい状態とすることができる。スコア巾内側の有機樹脂被覆は、塗装によるもの、フィルムによるものを問わない。
【００４２】
蓋パネル部の材質は、スチール、アルミ等を問わずに適用できる。
【００４３】
【発明の効果】
以上、本発明によれば、開缶後のスコア破断端面での人体の損傷を防ぐダブルセーフティー型イージーオープン缶蓋及びそれを用いたダブルセーフティー型イージーオープン缶を提供することができる。
【図面の簡単な説明】
【図１】本発明の缶蓋の上面図。
【図２】本発明の缶蓋縦断面図。
【図３】本発明の缶蓋の要部拡大断面図。
【図４】スコアの状態を説明する図。
【図５】本発明の缶蓋の要部拡大断面図。
【符号の説明】
Ａ  イージーオープン缶蓋
１  パネル部
２  フランジ部
３  スコア
４  タブ
５  保護体
６  有機樹脂被覆
【図１】
2004359298.tif 000003
【図２】
2004359298.tif 000004
【図３】
2004359298.tif 000005
【図４】
2004359298.tif 000006
【図５】
2004359298.tif 000007